(57)【要約】【課題】火災等で燃焼し難い難燃性を有し、しかも、有毒なガスを発生することのない避難口誘導パネルを提供すること。【解決手段】光源２と避難口誘導パネル１とを組み合わせて避難誘導灯を構成するに際し、避難口誘導パネル１を導光板１１とこの導光板に積層された表示フィルム１２とで構成すると共に、表示フィルム１２を、フッ素系重合体から成る基材フィルム１２１に避難口誘導表示１２２を印刷して構成する。フッ素系重合体は耐熱性が高く、火災の際にも燃焼し難い難燃性を有している。また、塩素や臭素等のハロゲン元素を含まないため、仮に燃焼したとしても、有毒ガスが発生するおそれもない。このため、火災の際にも、安全かつ確実に避難者を非常口等に誘導することができる。【選択図】図１
2017219704.tif 000002
【特許請求の範囲】
【請求項１】
光源と組み合わせて誘導表示する誘導パネルであって、
導光板と、この導光板に積層された表示フィルムとで構成されており、
表示フィルムが、フッ素系重合体から成る基材フィルムと、この基材フィルムに担持された誘導表示とを備えることを特徴とする誘導パネル。
【請求項２】
前記フッ素系重合体がフッ化ビニリデン系重合体であることを特徴とする請求項１に記載の誘導パネル。
【請求項３】
前記フッ素系重合体が共重合体であることを特徴とする請求項１又は２に記載の誘導パネル。
【請求項４】
前記基材フィルムがアクリル系重合体を含むことを特徴とする請求項１〜３のいずれかに記載の誘導パネル。
【請求項５】
前記基材フィルムが紫外線吸収剤を含むことを特徴とする請求項１〜４のいずれかに記載の誘導パネル。
【請求項６】
前記基材フィルムの色彩が、Ｌ＊ａ＊ｂ＊表色系で、Ｌ＊が８８〜８９，ａ＊が−１．５〜−０．７，ｂ＊が１．８〜２．５であり、かつ、光学濃度が０．３〜０．６であることを特徴とする請求項１〜５のいずれかに記載の誘導パネル。
【発明の詳細な説明】
【技術分野】
【０００１】
本発明は誘導灯に関するものである。この誘導灯は、例えば、ホテルやデパート等の建造物の屋内に設置して、火災等の災害の際に避難者を非常口等に誘導する避難誘導灯として利用できる。
【背景技術】
【０００２】
このような避難誘導灯には、建造物の内壁に設置するものと、天井から吊り下げたものとがある。また、光源の位置に応じて、バックライト型の避難誘導灯とエッジライト型の避難誘導灯とが知られている。一般に壁面に設置される避難誘導灯にはバックライト型又はエッジライト型の避難誘導灯が使用されている。一方、天井から吊り下げる避難誘導灯としては、両面から誘導表示が見える必要があることから、エッジライト型の避難誘導灯を使用するのが通常である。
【０００３】
例として、エッジライト型の避難誘導灯の構造を説明すると、このエッジライト型避難誘導灯の構造を説明すると、この避難誘導灯は、図１のように、避難口誘導パネル１と光源２と組み合わせて構成されている（特許文献１参照）。避難口誘導パネル１は導光板１１の両面に表示フィルム１２を積層して構成されており、表示フィルム１２には避難口誘導表示１２２が施されている。表示フィルム１２は、一般に、光源２からの光を透過する透明なフィルムで構成されており、避難口誘導表示１２２は印刷によってこの透明フィルムに施されている。そして、光源２は導光板１１の端面に配置されている。光源２から発生した光は導光板１１の端面からその内部に入射し、この導光板１１によって偏向して、表示フィルム１２側に向けて出射する。こうして、表示フィルム１２の避難口誘導表示１２２が光によって照らされて避難口を表示するのである。
【先行技術文献】
【特許文献】
【０００４】
【特許文献１】特開平７−２３４６４９号公報
【発明の概要】
【発明が解決しようとする課題】
【０００５】
ところで、この避難誘導灯は火災等の災害時にその機能を発揮するものであるから、火災に伴う熱に耐えるものでなくてはならない。このため、前記表示フィルム１２の基材として、塩素系難燃剤や臭素系難燃剤を含有するフィルムを使用することが通常であった。
【０００６】
しかしながら、このような難燃剤は、激しい火災の際には分解して塩素系ガスや臭素系ガス等の有毒なガスを発生し、却って速やかな避難を難しくすることがあった。
【０００７】
そこで、本発明は、火災等で燃焼し難い難燃性を有し、しかも、有毒なガスを発生することのない誘導パネルを提供することを目的とする。
【課題を解決するための手段】
【０００８】
すなわち、請求項１に記載の発明は、光源と組み合わせて誘導表示する誘導パネルであって、
導光板と、この導光板に積層された表示フィルムとで構成されており、
表示フィルムが、フッ素系重合体から成る基材フィルムと、この基材フィルムに担持された誘導表示とを備えることを特徴とする誘導パネルである。
【０００９】
次に、請求項２に記載の発明は、前記フッ素系重合体がフッ化ビニリデン系重合体であることを特徴とする請求項１に記載の誘導パネルである。
【００１０】
また、請求項３に記載の発明は、前記フッ素系重合体が共重合体であることを特徴とする請求項１又は２に記載の誘導パネルである。
【００１１】
また、請求項４に記載の発明は、前記基材フィルムがアクリル系重合体を含むことを特徴とする請求項１〜３のいずれかに記載の誘導パネルである。
【００１２】
また、請求項５に記載の発明は、前記基材フィルムが紫外線吸収剤を含むことを特徴とする請求項１〜４のいずれかに記載の誘導パネルである。
【００１３】
また、請求項６に記載の発明は、前記基材フィルムの色彩が、Ｌ＊ａ＊ｂ＊表色系で、Ｌ＊が８８〜８９，ａ＊が−１．５〜−０．７，ｂ＊が１．８〜２．５であり、かつ、光学濃度が０．３〜０．６であることを特徴とする請求項１〜５のいずれかに記載の誘導パネルである。
【発明の効果】
【００１４】
本発明の誘導パネルにおいては、表示フィルムの基材としてフッ素系重合体から成るフィルムを使用している。このフッ素系重合体は耐熱性が高く、火災の際にも燃焼し難い難燃性を有しており、ＵＬ９４  ＶＴＭ−０規格を満たしている。また、塩素や臭素等のハロゲン元素を含まないため、仮に燃焼したとしても、有毒ガスが発生するおそれもない。このため、この避難口誘導パネルは、火災の際にも、安全かつ確実に避難者を非常口等に誘導することができるのである。
【図面の簡単な説明】
【００１５】
【図１】本発明の誘導パネルの具体例の断面説明図である。
【図２】避難口誘導灯の斜視図である。
【発明を実施するための形態】
【００１６】
本発明の誘導パネルは、図２に示すように、導光板１１と、この導光板１１に積層された表示フィルム１２とで構成されるものである。この誘導パネルは光源と組み合わせて任意の誘導灯を構成することができるが、この誘導パネルは高い難燃性を有することから、その難燃性を生かして、火災等の際に避難口を示す避難口誘導パネルとして使用することが好適である。以下、避難口誘導パネルを具体例として本発明を説明する。なお、光源２の位置に応じてエッジライト型の避難口誘導灯としてもよいし、バックライト型の避難口誘導灯としてもよい。
【００１７】
なお、エッジライト型の避難口誘導灯とする場合には、導光板１１は、その端面に配置された光源２からの光を表示フィルム１２に向けて偏向するものである必要がある。この光源２からの光を均一に散乱しながら表示フィルム１２に向けて偏向するものであってもよい。この導光板１１は公知であり、例えば、アクリル板あるいはポリカーボネート板の片面に白色インキをドット状に印刷して、このドット状白色インキ層で偏向するものが知られている。あるいは、これに加えて、多数の微小プリズムを配列したプリズムシートや光散乱シートを重ねて導光板１１とすることもできる。
【００１８】
一方、バックライト型の避難口誘導灯とする場合には、導光板１１として、光源２からの光を直進して透過させるものを使用すればよい。また、この光を均一に散乱する乳白色の板を使用することもできる。
【００１９】
表示フィルム１２は基材フィルム１２１と避難口誘導表示１２２とを必須の構成要素とするもので、この他、避難口誘導表示１２２の表面に図示しない透明保護層を設けてもよい。この表示フィルム１２は導光板１１の片面に積層してもよいし、両面に積層してもよい。建造物の天井から吊り下げて設置する避難口誘導灯に使用する場合には、導光板１１の両面に表示フィルム１２を積層することが望ましい。建造物の壁面にする場合には、導光板１１の片面に積層すれば十分である。なお、表示フィルム１２は、図示のように、両面テープ１３を使用して、導光板１１に接着積層することができる。この例では、表示フィルム１２の四隅に両面テープ１３を設けて接着積層しているが、その全面で接着積層することもできる。また、両面テープ１３の代わりに接着剤で接着積層することも可能である。
【００２０】
次に、表示フィルム１２を構成する基材フィルム１２１はフッ素系重合体を主成分とすることが重要である。この他、基材フィルム１２１はハロゲン元素を含まない重合体、あるいは紫外線吸収剤や顔料等を含有していてもよい。基材フィルム１２１の厚みは１５〜５０μｍでよい。
【００２１】
フッ素系重合体は、フッ素系モノマーの単独重合体あるいは共重合体を使用できる。単独重合体としては、ポリフッ化ビニリデン（ＰＶＤＦ）、ポリフッ化ビニル（ＰＶＦ）、ポリテトラフルオロエチレン（ＰＴＦＥ）、ポリクロロトリフルオロエチレン（ＰＣＴＦＥ）等を例示できる。共重合体としては、エチレン−テトラフルオロエチレン共重合体（ＥＴＦＥ）等である。また、フッ化ビニリデンモノマー（ＶＤＦ）、ヘキサフルオロプロピレンモノマー（ＨＦＰ）、テトラフルオロエチレンモノマー（ＴＦＥ）、パーフルオロ（アルキルビニルエーテル）モノマー（ＰＡＶＥ）から選択された２種類又はそれ以上のモノマーの共重合体を使用することができる。望ましくは、フッ化ビニリデンモノマー（ＶＤＦ）の単独重合体、あるいはＶＤＦを一方のモノマーとし、これにその他のフッ素系モノマーを共重合させた共重合体である。
【００２２】
次に、ハロゲン元素を含まない重合体としては、その代表例として、アクリル系重合体を例示できる。このアクリル系重合体としては、アクリル酸メチル又はメタアクリル酸メチルの単独重合体を使用することができる。また、アクリル酸メチル又はメタアクリル酸メチルと、他のエチレン性不飽和モノマ一との共重合体をアクリル系重合体として使用することも可能である。他のエチレン性不飽和モノマ一としては、例えば、アクリル系モノマ一が例示できる。例えば、アクリル酸、メタアクリル酸、アクリル酸と炭素数１〜８の脂肪族アルコールとのエステル、メタアクリル酸と炭素数１〜８の脂肪族アルコールとのエステル等である。また、スチレン、αーメチルスチレン、アクリロニトリル等を前記エチレン性不飽和モノマ一として、アクリル酸メチル又はメタアクリル酸メチルと共重合させた共重合体を使用することも可能である。
【００２３】
また、基材フィルム１２１が紫外線吸収剤を含有する場合には、避難口誘導パネル１の耐光性を向上させることができる。前述のように、この避難口誘導パネル１は光源２とともに避難誘導灯を構成して、屋内に設置されるものであるから、屋内の照明光や光源２の光に常時曝されるものである。また、この避難口誘導パネル１は、建造物の窓から入射する太陽光に曝されることもある。このため、その耐光性を向上させて長期間の使用に耐えることが重要である。紫外線吸収剤は公知のものでよく、例えば、ベンゾフェノン系紫外線吸収剤、ベンゾトリアゾール系紫外線吸収剤、シアノアクリレート系紫外線吸収剤、ホルムアジン系紫外線吸収剤、オキザニリド系紫外線吸収剤等を使用できる。
【００２４】
また、基材フィルム１２１は避難口誘導表示１２２の背景を構成するから、この基材フィルム１２１が避難口誘導表示１２２とコントラストの高い顔料を含有する場合には、避難口誘導表示１２２の視認性を高めることができる。また、この顔料によって光源光を散乱させて、避難口誘導表示１２２の眩しさを低減することができるから、さらに避難口誘導表示１２２の視認性を向上させることができる。この顔料としては白色顔料が好適であり、白色顔料を適量配合することにより、基材フィルム１２１の色彩を、Ｌ＊ａ＊ｂ＊表色系で、Ｌ＊が８８〜８９，ａ＊が−１．５〜−０．７，ｂ＊が１．８〜２．５とし、かつ、光学濃度を０．３〜０．６として、表示面の視認性を最適化することができる。白色顔料としては、酸化チタン、炭酸カルシウム等を例示できる。
【００２５】
次に、この基材フィルム１２１は、これを構成する各種成分を配合して溶融し、押出金型の吐出口から押し出す方法（押出成形法）によって製造することができる。また、フッ素系重合体としてＰＶＤＦ又はＰＶＦを使用する場合には溶液キャスト塗工法で製造することも可能である。すなわち、この溶液キャスト塗工法で製造する場合には、まず、その成分を溶剤中に溶解又は分散して塗布液とし、この塗布液を剥離性のベース上に塗布する。次に、乾燥炉内部で前記重合体を溶融してフィルム化すると共に溶剤を気化させる。最後に、製膜された基材フィルム１２１を前記剥離性ベースから剥離することにより、基材フィルム１２１を製造することができる。
【００２６】
次に、避難口誘導表示１２２は基材フィルム１２１に印刷することによって形成することができる。表示フィルム１２を導光板１１に積層するにあたって、この避難口誘導表示１２２が導光板１１側を向くように積層すれば、この避難口誘導表示１２２が磨耗し難く、また、汚染し難い避難口誘導パネルとなるが、この場合には、基材フィルム１２１を通して避難口誘導表示１２２を観察することになり、基材フィルム１２１が白色顔料を含有する場合にはその視認性が低下する。このため、避難口誘導表示１２２が導光板１１の反対側を向くように積層することが望ましい（図２参照）。この場合にも、避難口誘導表示１２２の表面に図示しない透明保護層を設けることにより、避難口誘導表示１２２の耐久性を向上させることが可能である。なお、透明保護層は、防汚性に優れたフッ素系重合体を塗布又は積層して形成することが望ましい。
【符号の説明】
【００２７】
１：避難口誘導パネル
１１：導光板
１２：表示フィルム    １２１：基材フィルム    １２２：避難口誘導表示
１３：両面テープ
２：光源
【図１】
2017219704.tif 000003
【図２】
2017219704.tif 000004